(57)【要約】【課題】  インターホン子機のカメラ及び監視カメラの撮像映像を直接インターホン親機で表示或いは録画可能とする。【解決手段】  ＯＮＶＩＦに準拠したプロトコルに基づく映像信号を出力する監視カメラ３が通信ネットワーク４を介して接続され、子機ＣＰＵ１５はＯＮＶＩＦに準拠したプロトコルに基づいて子機カメラ１４の撮像映像を送信する。親機ＣＰＵ２６は、ＯＮＶＩＦに準拠したプロトコルに基づく映像信号を受信したら表示部２４に表示させ、子機カメラ１４の映像に加えて監視カメラ３の映像を表示部２４に表示可能とした。子機１及び親機２は、互いの間をＳＩＰに基づいて音声信号を送受する。【選択図】  図１
2014229915.tif 000002
【特許請求の範囲】
【請求項１】
居住者を呼び出して通話する機能及び訪問者を撮像するための子機カメラを備えたインターホン子機と、前記インターホン子機からの呼出に応答する機能及び前記子機カメラの撮像映像を表示する表示部を備えたインターホン親機とを有し、機器間が通信ネットワークを介して接続されて成るインターホンシステムであって、
前記通信ネットワークを介して接続されて、ネットワークカメラ用プロトコルに基づく映像信号を出力する監視カメラを具備すると共に、
前記インターホン子機は、ネットワークカメラ用プロトコルに基づいて前記子機カメラの撮像映像を送信する映像送信部を有し、
前記インターホン親機は、ネットワークカメラ用プロトコルに基づく映像信号を受信したら前記表示部に表示させる映像制御部を備えて、前記子機カメラの映像に加えて前記監視カメラの映像を前記表示部に表示可能とし、
更に前記インターホン子機及び前記インターホン親機は、互いの間をＩＰ電話用プロトコルに基づいて音声信号を送受する音声信号制御部を有することを特徴とするインターホンシステム。
【請求項２】
前記インターホン親機は、前記監視カメラの撮像映像及び前記子機カメラの撮像映像の双方を記憶する録画部を有することを特徴とする請求項１記載のインターホンシステム。
【請求項３】
前記監視カメラは人物の接近を感知する人感センサを備え、
前記監視カメラは、前記人感センサの感知動作を開始トリガとして撮像映像の送信を開始するカメラ制御部を有し、
前記映像制御部は、前記監視カメラから撮像映像を受信したら前記録画部に記憶することを特徴とする請求項２記載のインターホンシステム。
【発明の詳細な説明】
【技術分野】
【０００１】
本発明は、呼び出し／通話機能を備えたインターホン子機と通話機能を備えたインターホン親機と監視カメラとを備えて、各機器が通信ネットワークを介して接続されたインターホンシステムに関する。
【背景技術】
【０００２】
従来より、呼び出し／通話機能を備えたインターホン子機、通話機能を備えたインターホン親機に加えて監視カメラを備えて、各機器がＬＡＮ等の通信ネットワークを介して接続されたインターホンシステムがある。このようなインターホンシステムでは、監視カメラが送出する映像信号のプロトコルとインターホン子機に組み込まれたカメラが送出する映像信号のプロトコルとが異なるため、監視カメラの撮像映像を直接インターホン親機で見ることができないため、別途プロトコル変換機器を介在させていた。
例えば、特許文献１のインターホンシステムでは、双方のプロトコルに対応するサーバを設けて監視カメラの映像をサーバに録画したり、サーバにおいてプロトコル変換してインターホン親機で映像を表示可能とした。
【先行技術文献】
【特許文献】
【０００３】
【特許文献１】特開２０１２−１５６２６号公報
【発明の概要】
【発明が解決しようとする課題】
【０００４】
しかしながら、上述特許文献１の構成においては、監視カメラの撮像映像をインターホン親機で見ることを可能とするために、別途監視カメラとインターホン機器の双方に対応させたサーバを必要とし、コスト高な構成となっていた。
【０００５】
そこで、本発明はこのような問題点に鑑み、インターホン子機のカメラ及び監視カメラの撮像映像を直接インターホン親機で表示或いは録画可能とし、別途プロトコル変換機器を設置する必要のないインターホンシステムを提供することを目的としている。
【課題を解決するための手段】
【０００６】
上記課題を解決する為に、請求項１の発明は、居住者を呼び出して通話する機能及び訪問者を撮像するための子機カメラを備えたインターホン子機と、インターホン子機からの呼出に応答する機能及び子機カメラの撮像映像を表示する表示部を備えたインターホン親機とを有し、機器間が通信ネットワークを介して接続されて成るインターホンシステムであって、通信ネットワークを介して接続されて、ネットワークカメラ用プロトコルに基づく映像信号を出力する監視カメラを具備すると共に、インターホン子機は、ネットワークカメラ用プロトコルに基づいて子機カメラの撮像映像を送信する映像送信部を有し、インターホン親機は、ネットワークカメラ用プロトコルに基づく映像信号を受信したら表示部に表示させる映像制御部を備えて、子機カメラの映像に加えて監視カメラの映像を表示部に表示可能とし、更にインターホン子機及びインターホン親機は、互いの間をＩＰ電話用プロトコルに基づいて音声信号を送受する音声信号制御部を有することを特徴とする。
この構成によれば、インターホン子機が監視カメラと共通するネットワークカメラ用プロトコルに基づいて映像信号を送信すると共に、インターホン親機が監視カメラの映像信号を受信できるネットワークカメラ用プロトコルに基づいて受信した映像を表示部に表示するため、子機カメラの撮像映像に加えて監視カメラの撮像映像も直接表示できる。よって、監視カメラの映像をインターホン親機で表示するためのプロトコル変換機器等を別途必要としない。また、インターホン子機とインターホン親機との間の音声信号の伝送は、インターホンに適したＩＰ電話用プロトコルにより実施されるためスムーズな通話を実現できる。
【０００７】
尚、通信ネットワークとは、インターネットや電話網等のＷＡＮや、ビル内等の域内に配設されたＬＡＮを言う。また、ネットワークカメラ用プロトコルとは、ＯＮＶＩＦ（Open Network Video Interface Forum）やＰＳＩＡ（Physical Security Interoperability Alliance）に準拠したネットワークカメラの映像伝送に好適なプロトコルを言い、ＩＰ電話用プロトコルとはＳＩＰ（Session Initiation Protocol）やＨ．３２３等の音声の伝送に好適なプロトコルを言う。
【０００８】
請求項２の発明は、請求項１に記載の構成において、インターホン親機は、監視カメラの撮像映像及び子機カメラの撮像映像の双方を記憶する録画部を有することを特徴とする。
この構成によれば、インターホン親機は、子機カメラの撮像映像に加えて監視カメラの撮像映像も録画部が録画するため、監視カメラのための録画装置を別途必要としない。
【０００９】
請求項３の発明は、請求項２に記載の構成において、監視カメラは人物の接近を感知する人感センサを備え、監視カメラは、人感センサの感知動作を開始トリガとして撮像映像の送信を開始するカメラ制御部を有し、映像制御部は、監視カメラから撮像映像を受信したら録画部に記憶することを特徴とする。
この構成によれば、例えば不審者が監視カメラに接近したら監視カメラが起動して録画が開始されるため、不審者等現れたら確実に録画でき、常時録画しなくてもセキュリティに有効であり、録画部の容量を削減できる。
【発明の効果】
【００１０】
本発明によれば、インターホン子機がネットワークカメラ用プロトコルに基づいて映像信号を送信すると共に、インターホン親機がネットワークカメラ用プロトコルに基づいて映像信号を表示部で表示するため、子機カメラの撮像映像に加えて監視カメラの撮像映像も直接インターホン親機で表示できる。よって、監視カメラの映像を表示するためのプロトコル変換機器等を別途必要としない。そして、インターホン子機とインターホン親機との間の音声信号の伝送は、インターホンに適したＩＰ電話用プロトコルにより実施されるためスムーズな通話を実現できる。
【図面の簡単な説明】
【００１１】
【図１】本発明に係るインターホンシステムの一例を示す構成図であり、個々の機器を回路ブロック図を示している。
【図２】インターホンシステムの他の例を示す構成図であり、個々の機器を回路ブロック図で示している。
【発明を実施するための形態】
【００１２】
以下、本発明を具体化した実施の形態を、図面を参照して詳細に説明する。図１は本発明に係るインターホンシステムの一例を示す構成図であり、個々の機器を回路ブロック図で示している。１は訪問者が居住者を呼び出すためのインターホン子機（以下、単に「子機」と称する。）、２は呼び出しに応答するためのインターホン親機（以下、単に「親機」と称する。）、３は不審者等を撮像するための監視カメラであり、各機器はＬＡＮ、或いはインターネットや電話網等のＷＡＮで構成される通信ネットワーク４を介して接続されている。
【００１３】
子機１は、居住者等を呼出操作する呼出ボタン１１、通話するためのマイク１２及びスピーカ１３、訪問者を撮像するための子機カメラ１４、子機１を制御する子機ＣＰＵ１５、通信ネットワーク４に接続して親機２と通信するための子機通信ＩＦ１６等を備えている。
【００１４】
親機２は、呼び出しに応答するための通話ボタン２１ａ等を備えた親機操作部２１、通話するためのマイク２２及びスピーカ２３、子機１等から送信された映像を表示するための表示部２４、映像を録画する録画部２５、親機２を制御する親機ＣＰＵ２６、通信ネットワーク４に接続して子機１や監視カメラ３と通信するための親機通信ＩＦ２７等を備えている。
【００１５】
監視カメラ３は、所謂ネットワークカメラであり、カメラ３１、カメラ３１の撮像映像を処理して映像信号を送出するカメラＣＰＵ３２、通信ネットワーク４に接続して映像信号を送信するカメラ通信ＩＦ３３等を備えている。カメラＣＰＵ３２は、ＯＮＶＩＦのプロトコルに基づいて送信先とリンクを確立してマルチキャストのＲＴＰ（real-time  transport protocol）により映像信号を送信する。
【００１６】
ここで、各機器間の通信形態を説明する。子機１は、子機ＣＰＵ１５の制御により子機カメラ１４の撮像映像をＯＮＶＩＦに準拠するプロトコルに基づいて送信先とリンクを確立し、マルチキャストのＲＴＰにより映像信号を送信する。一方、子機１と親機２の間の音声信号の送受は、子機ＣＰＵ１５がＳＩＰに基づいて親機ＣＰＵ２６とリンクを確立し、ユニキャストのＲＴＰにより音声信号の送受を実施する。
また親機２は、親機ＣＰＵ２６の制御によりＯＮＶＩＦに準拠したプロトコルに基づいてリンクした相手（子機１及び監視カメラ３）から映像信号を受信する。また、ＳＩＰにより子機１と音声信号の送受を実施する。
【００１７】
以上の如く構成されたインターホンシステムの動作は以下の様である。監視カメラ３は撮像を常時実施、即ち２４時間撮像し続け、映像信号を親機２へ送信する。上述したように、カメラＣＰＵ３２はＯＮＶＩＦに準拠したプロトコルにより親機２との間でリンクを確立し、カメラ３１の撮像映像をマルチキャストのＲＴＰにより送信する。この監視カメラ３から映像信号を受信した親機２では、親機ＣＰＵ２６の制御で録画部２５に録画される。
尚、親機２での録画も監視カメラ３の動作に合わせて２４時間実施され、例えば１週間録画可能な容量を備えて１週間が経過した録画映像から順に消去されて上書きされる。また、親機操作部２１の所定の操作により監視カメラ３の撮像映像を表示部２４に表示できる。
【００１８】
この状態で、訪問者が子機１の呼出ボタン１１を操作して呼び出しが行われると、子機ＣＰＵ１５の制御でＳＩＰによる呼出信号を生成して親機２に送信される。同時に、子機カメラ１４が起動して映像信号の送信を開始する。映像信号は、ＯＮＶＩＦに準拠したプロトコルにより親機２とリンクが確立したらマルチキャストのＲＴＰで送信される。
【００１９】
映像信号を受信した親機２では、親機ＣＰＵ２６により表示部２４に映像が表示される。合わせて、監視カメラ３の撮像映像に加えて子機カメラ１４の撮像映像も録画部２５に録画される。
また、呼出信号を受信して子機１とリンクが確立された親機２では、親機ＣＰＵ２６の制御で呼出音がスピーカ２３から報音され、呼び出しを受けて居住者等の応答者が通話ボタン２１ａを操作すると、子機１と親機２の間でセッションが確立する。即ち、通話路が形成されてＳＩＰによる通話が可能となる。こうして、呼出操作した訪問者と応答操作した居住者等との間で通話が実施され、ユニキャストのＲＴＰにより音声信号の送受が行われる。
【００２０】
その後、通話が終了して応答者により通話ボタン２１ａが再操作されると形成された通話路が切断される。この通話終了をトリガとして、子機ＣＰＵ１５は親機２へのＲＴＰによる映像信号の送信を終了する。
尚、この間、監視カメラ３から送信される映像の録画部２５での録画は、途切れること無く実施される。
【００２１】
このように、子機１がＯＮＶＩＦに準拠した監視カメラ３と共通のプロトコルに基づいて映像信号を送信すると共に、親機２が監視カメラ３の映像を受信できるＯＮＶＩＦに準拠したプロトコルに基づいて受信した映像を表示部２４に表示するため、子機カメラ１４の撮像映像に加えて監視カメラ３の撮像映像も直接表示できる。よって、監視カメラ３の映像を親機２で表示するためのプロトコル変換機器等を別途必要としない。また、子機１と親機２との間の音声信号の伝送は、インターホンに適したＩＰ電話用プロトコルにより実施されるためスムーズな通話を実現できる。
また親機２は、子機カメラ１４の撮像映像に加えて監視カメラ３の撮像映像も録画部２５に録画できるため、監視カメラ３のための録画装置を別途必要としないので、安価に構成できる。
【００２２】
次に、インターホンシステムの他の例を説明する。図２は、他の例を示す構成図であり、上述した図１とは監視カメラ３が撮像を開始するために人感センサ３４を備えた点が異なっている。尚、図１と共通する構成要素については同一の符号を付与して説明を省略する。以下、図１との相違点を中心に説明する。
監視カメラ３は待受状態でオフ状態にあり、人感センサ３４が人物の接近を感知すると、カメラＣＰＵ３２の制御によりカメラ３１が起動して映像信号の送信が開始される。
【００２３】
この映像信号を受信した親機２は、親機ＣＰＵ２６の制御で録画部２５に録画し、設定に応じて表示部２４に表示させる。その後、人物が監視カメラ３から遠ざかり、人感センサ３４からの感知信号がなくなったら、カメラ３１の撮像は停止（映像信号の送信は終了）して待受け状態に戻る。
尚、この構成における呼出発生から通話終了までの動作は上記形態と同様であるため説明を省略する。  
【００２４】
このように、監視カメラ３に人感センサ３４を設けることで、不審者等が接近したら監視カメラ３が起動して映像を親機２に送信し、録画部２５で録画されるため、セキュリティ性を落とすことなく録画部２５の容量を削減できる。
【００２５】
尚、上記実施形態は、監視カメラ３の撮像映像の送信及び子機カメラ１４の撮像映像の送信をマルチキャストで実施しているが、これは複数の送信先を想定しているためであり、送信先が上記形態のように少数の機器である場合はユニキャストで送信しても良い。
また、ネットワークカメラに適したプロトコルとしてＯＮＶＩＦに準拠したプロトコルを例に説明したが、他のプロトコルとしてＰＳＩＡに準拠したプロトコルを使用しても良い。更に、ＳＩＰを使用して音声信号の送受を行う構成としたが、ＩＰ電話用プロトコルであれば通話に好適であり、他のプロトコルとして例えばＨ．３２３を使用しても良い。
【符号の説明】
【００２６】
１・・インターホン子機、２・・インターホン親機、３・・監視カメラ、４・・通信ネットワーク、１４・・子機カメラ、１５・・子機ＣＰＵ（映像信号送信部、音声信号制御部）、２４・・表示部、２５・・録画部、２６・・親機ＣＰＵ（映像制御部、音声信号制御部）、３１・・カメラ、３２・・カメラＣＰＵ（カメラ制御部）、３４・・人感センサ。
【図１】
2014229915.tif 000003
【図２】
2014229915.tif 000004